(57)【要約】      （修正有）【課題】裏面の平坦性を保持し、全体的な美的満足度が与えられ、面上に置かれたハンドヘルド電気装置の安定性を高める保護収納ケースを提供する。【解決手段】保護収納ケースは、バックプレート３１０とサポートプレート３２０とを含んでいる。バックプレートは装着部３１１と、ハンドヘルド電気装置の反対側に配置された第１図案層３１２とを有している。サポートプレートは第２図案層３２１、バックプレートに接続するための接続部３２２および可撓部３２３を有している。第１の操作状態においては、サポートプレートは第１図案層を遮蔽するように取り付けられ、第２図案層が第１表出図案を形成する。第２の操作状態においては、可撓部は曲げられて第１図案層を現出させ、第１図案層とサポートプレートとは組み合わされて第２表出図案を形成する。【選択図】図３
0003185793.tif 000002
【実用新案登録請求の範囲】
【請求項１】
ハンドヘルド電気装置に使用される保護収納ケースにおいて、該ハンドヘルド電気装置の一面に組み合わされるバックプレートであって、装着部と第１図案層とを含んでおり、該第１図案層は、前記ハンドヘルド電気装置の反対側の前記バックプレートの一面に提供されている、バックプレートと、前記ハンドヘルド電気装置の反対側の前記バックプレートの一面に提供されているサポートプレートと、前記バックプレートの反対側の前記サポートプレートの一面に提供されている第２図案層と、前記装着部と接続させるために前記サポートプレートの１端に提供されている接続部と、  可撓部であって、前記サポートプレートの別端に提供されており、本保護収納ケースが第１状態にあるとき、該サポートプレートが前記第１図案層を遮蔽し、前記第２図案層が現出されて第１表出図案を形成させ、本保護収納ケースが第２状態にあるとき、前記第１図案層を現出させるように、前記可撓部は外力によって前記バックプレートの反対方向に曲げられ、前記第１図案層と前記サポートプレートとは組み合わされて第２表出図案を形成させる、可撓部と、を含んでいることを特徴とする保護収納ケース。
【請求項２】
本保護収納ケースはさらに隆起部を含んでおり、該隆起部は、前記バックプレートに隣接している前記サポートプレートの別面に提供されており、前記接続部と前記可撓部とを通過する縦軸に沿って配置されており、該可撓部が押圧されると、前記隆起部は前記バックプレートに当接し、該可撓部を該バックプレートの反対方向に曲げることを特徴とする請求項１記載の保護収納ケース。
【請求項３】
前記隆起部は前記サポートプレートの中央部に配置されていることを特徴とする請求項２記載の保護収納ケース。
【請求項４】
前記隆起部と前記サポートプレートとは一体化されていることを特徴とする請求項２記載の保護収納ケース。
【請求項５】
前記サポートプレートは前記縦軸に沿った縦アーチ形状であり、該サポートプレートの別面は凹状であることを特徴とする請求項１記載の保護収納ケース。
【請求項６】
前記サポートプレートは長形であり、前記接続部と前記可撓部とは該サポートプレートの前記縦軸の両端にそれぞれ配置されていることを特徴とする請求項１記載の保護収納ケース。
【請求項７】
前記サポートプレートは、前記バックプレートに隣接する該サポートプレートの別面に配置されている第３図案層を含んでいることを特徴とする請求項１記載の保護収納ケース。
【請求項８】
前記第１図案層は、前記可撓部と前記装着部との間の接続部に対応する口部表出領域を含んでいることを特徴とする請求項１記載の保護収納ケース。
【請求項９】
前記バックプレートは、前記ハンドヘルド電気装置の反対側に配置されており、前記サポートプレートに対応し、前記第２図案層と組み合わされて前記第１表出図案を形成する第４図案層を含んでいることを特徴とする請求項１記載の保護収納ケース。
【請求項１０】
前記第４図案層は、前記サポートプレートの２面にそれぞれ隣接する２つの眼部領域を含んでいることを特徴とする請求項９記載の保護収納ケース。
【請求項１１】
前記第１表出図案または前記第２表出図案は開口図案であることを特徴とする請求項１記載の保護収納ケース。
【請求項１２】
前記第１表出図案または前記第２表出図案は閉口図案であることを特徴とする請求項１記載の保護収納ケース。
【請求項１３】
前記バックプレートは、前記サポートプレートに対応する凹所を含んでおり、該サポートプレートは前記第１状態で該凹所を満たしていることを特徴とする請求項１記載の保護収納ケース。
【請求項１４】
前記バックプレートは、前記サポートプレートに対応して配置されている開口部とフィルムとを含んでおり、前記第１図案層は該フィルム上に配置されており、該フィルムは前記ハンドヘルド電気装置上に貼付されており、該第１図案層は、前記開口部を介して前記第２状態で該第１図案層を現出させるよう該開口部に対応していることを特徴とする請求項１記載の保護収納ケース。
【請求項１５】
前記ハンドヘルド電気装置は収納体を含んでおり、前記バックプレートの周囲に側壁フレームを含んでおり、該側壁フレームと該バックプレートは該ハンドヘルド電気装置を受領する受領スペースを形成し、該側壁フレームと前記収納体は分離可能に係合していることを特徴とする請求項１記載の保護収納ケース。
【請求項１６】
本保護収納ケースは、前記ハンドヘルド電気装置を保護するために、前記バックプレートと共にチャンバを形成するためのフロントプレートを含んでいることを特徴とする請求項１記載の保護収納ケース。
【考案の詳細な説明】
【技術分野】
【０００１】
本考案は保護収納ケースに関し、特にはハンドヘルド（携帯）電気機器(装置)に利用可能な保護収納ケースに関する。
【背景技術】
【０００２】
技術の開発と改良によって、携帯電話、携帯情報端末（ＰＤＡ）、タブレット型パーソナルコンピュータ（タブレットＰＣ）、電子ブックリーダ（ｅ−ブックリーダ）、等々の異なる種類のハンドヘルド（手持ち）電気機器が考案され、人々の日常生活に必須な製品となっている。ハンドヘルド電気装置を異物による破損から保護するため、ユーザは自分のハンドヘルド電気装置と保護ケースを組み合わせ、保護ケースによる防御によって、ハンドヘルド電気装置の収納体が損傷しないようにしている。
【０００３】
また、進歩した技術によって、ハンドヘルド電気装置は多機能型となり、ますます多くの人がマルチメディアを利用するために、ハンドヘルド電気装置を使用している。マルチメディアが快適に利用できるよう、通常、ユーザは平坦面上にハンドヘルド電気装置を立たせるサポートフレームを必要とする。
【０００４】
しかし、ハンドヘルド電気装置と確実に組み合わせて、ハンドヘルド電気装置の落下を防止するには、保護ケースまたはサポートフレームは、ハンドヘルド電気装置の外側輪郭に合わせて設計されなければならない。従って、ユーザは必要に応じて毎度ハンドヘルド電気装置を保護ケースあるいはサポートフレームと組み合わせる。ユーザはサポートフレームをハンドヘルド電気装置と組み合わせることが必要になったとき、サポートフレームと組み合わせるため、ユーザはまずハンドヘルド電気装置を保護ケースから取り外さなければならず、ユーザにとって非常に煩わしかった。
【０００５】
さらに、米国特許公報（公開番号２０１１／０２３３０７８Ａ１）で開示されている保護ケース１００を示す図１で図示するように、保護ケース１００はサポートフレーム１１０を有している。保護ケース１００は保護機能とサポート機能とを有する。しかし、ハンドヘルド電気装置２００を手に取る際に、サポートフレーム１１０が保護ケース１００の裏面から飛び出ているため、ユーザは意図せずにサポートフレーム１１０を引き伸ばすことがある。さらに、この飛び出しているサポートフレーム１１０はハンドヘルド電気装置を面上において安定させず、ユーザの美観に訴えることもない。
【先行技術文献】
【特許文献】
【０００６】
米国特許公報  公開番号２０１１／０２３３０７８Ａ１
【考案の概要】
【課題を解決するための手段】
【０００７】
請求項１に記載の考案は、ハンドヘルド電気装置に使用される保護収納ケースにおいて、該ハンドヘルド電気装置の一面に組み合わされるバックプレートであって、装着部と第１図案層とを含んでおり、該第１図案層は、前記ハンドヘルド電気装置の反対側の前記バックプレートの一面に提供されている、バックプレートと、前記ハンドヘルド電気装置の反対側の前記バックプレートの一面に提供されているサポートプレートと、前記バックプレートの反対側の前記サポートプレートの一面に提供されている第２図案層と、前記装着部と接続させるために前記サポートプレートの１端に提供されている接続部と、  可撓部であって、前記サポートプレートの別端に提供されており、本保護収納ケースが第１状態にあるとき、該サポートプレートが前記第１図案層を遮蔽し、前記第２図案層が現出されて第１表出図案を形成させ、本保護収納ケースが第２状態にあるとき、前記第１図案層を現出させるように、前記可撓部は外力によって前記バックプレートの反対方向に曲げられ、前記第１図案層と前記サポートプレートとは組み合わされて第２表出図案を形成させる、可撓部と、を含んでいることを特徴とする保護収納ケース。
【０００８】
請求項２に記載の考案は、本保護収納ケースはさらに隆起部を含んでおり、該隆起部は、前記バックプレートに隣接している前記サポートプレートの別面に提供されており、前記接続部と前記可撓部とを通過する縦軸に沿って配置されており、該可撓部が押圧されると、前記隆起部は前記バックプレートに当接し、該可撓部を該バックプレートの反対方向に曲げることを特徴とする請求項１記載の保護収納ケース。
【０００９】
請求項３に記載の考案は、前記隆起部は前記サポートプレートの中央部に配置されていることを特徴とする請求項２記載の保護収納ケース。
【００１０】
請求項４に記載の考案は、前記隆起部と前記サポートプレートとは一体化されていることを特徴とする請求項２記載の保護収納ケース。
【００１１】
請求項５に記載の考案は、前記サポートプレートは前記縦軸に沿った縦アーチ形状であり、該サポートプレートの別面は凹状であることを特徴とする請求項１記載の保護収納ケース。
【００１２】
請求項６に記載の考案は、前記サポートプレートは長形であり、前記接続部と前記可撓部とは該サポートプレートの前記縦軸の両端にそれぞれ配置されていることを特徴とする請求項１記載の保護収納ケース。
【００１３】
請求項７に記載の考案は、前記サポートプレートは、前記バックプレートに隣接する該サポートプレートの別面に配置されている第３図案層を含んでいることを特徴とする請求項１記載の保護収納ケース。
【００１４】
請求項８に記載の考案は、前記第１図案層は、前記可撓部と前記装着部との間の接続部に対応する口部表出領域を含んでいることを特徴とする請求項１記載の保護収納ケース。
【００１５】
請求項９に記載の考案は、前記バックプレートは、前記ハンドヘルド電気装置の反対側に配置されており、前記サポートプレートに対応し、前記第２図案層と組み合わされて前記第１表出図案を形成する第４図案層を含んでいることを特徴とする請求項１記載の保護収納ケース。
【００１６】
請求項１０に記載の考案は、前記第４図案層は、前記サポートプレートの２面にそれぞれ隣接する２つの眼部領域を含んでいることを特徴とする請求項９記載の保護収納ケース。
【００１７】
請求項１１に記載の考案は、前記第１表出図案または前記第２表出図案は開口図案であることを特徴とする請求項１記載の保護収納ケース。
【００１８】
請求項１２に記載の考案は、前記第１表出図案または前記第２表出図案は閉口図案であることを特徴とする請求項１記載の保護収納ケース。
【００１９】
請求項１３に記載の考案は、前記バックプレートは、前記サポートプレートに対応する凹所を含んでおり、該サポートプレートは前記第１状態で該凹所を満たしていることを特徴とする請求項１記載の保護収納ケース。
【００２０】
請求項１４に記載の考案は、前記バックプレートは、前記サポートプレートに対応して配置されている開口部とフィルムとを含んでおり、前記第１図案層は該フィルム上に配置されており、該フィルムは前記ハンドヘルド電気装置上に貼付されており、該第１図案層は、前記開口部を介して前記第２状態で該第１図案層を現出させるよう該開口部に対応していることを特徴とする請求項１記載の保護収納ケース。
【００２１】
請求項１５に記載の考案は、前記ハンドヘルド電気装置は収納体を含んでおり、前記バックプレートの周囲に側壁フレームを含んでおり、該側壁フレームと該バックプレートは該ハンドヘルド電気装置を受領する受領スペースを形成し、該側壁フレームと前記収納体は分離可能に係合していることを特徴とする請求項１記載の保護収納ケース。
【００２２】
請求項１６に記載の考案は、本保護収納ケースは、前記ハンドヘルド電気装置を保護するために、前記バックプレートと共にチャンバを形成するためのフロントプレートを含んでいることを特徴とする請求項１記載の保護収納ケース。
【図面の簡単な説明】
【００２３】
【図１】米国公開特許願（公開番号２０１１／０２３３０７８）の保護収納ケースの概略図である。
【図２Ａ】本考案の第１実施例によるハンドヘルド電気装置に利用できる保護収納ケースの概略斜視図（１）であり、この保護収納ケースは第１状態にある。
【図２Ｂ】本考案の第１実施例によるハンドヘルド電気装置に利用できる保護収納ケースの概略斜視図（２）であり、この保護収納ケースは第１状態にある。
【図３】本考案の第１実施例によるハンドヘルド電気装置に利用できる保護収納ケースの分解図であり、この保護収納ケースは第１状態にある。
【図４Ａ】本考案の第１実施例によるハンドヘルド電気装置に利用できる保護収納ケースの概略斜視図であり、この保護収納ケースは第２状態にある。
【図４Ｂ】本考案の第１実施例によるハンドヘルド電気装置に利用できる保護収納ケースの別概略斜視図であり、この保護収納ケースは第２状態にある
【図５】本考案の第２実施例によるハンドヘルド電気装置に利用できる保護収納ケースの分解図であり、この保護収納ケースは第２状態にある。
【図６】本考案の第３実施例によるハンドヘルド電気装置に利用できる保護収納ケースの分解図であり、この保護収納ケースは第２状態にある。
【図７】本考案の第３実施例によるハンドヘルド電気装置に利用できる保護収納ケースの別な分解図であり、この保護収納ケースは第２状態にある。
【考案を実施するための形態】
【００２４】
本考案は、バックプレートとサポートプレートとを含んだハンドヘルド電気装置に利用できる保護収納ケースを提案する。このバックプレートはハンドヘルド電気装置の一面と組み合わされるものであり、装着部および第１図案層を含んでいる。この第１図案層とサポートプレートとは、ハンドヘルド電気装置の反対側であるバックプレートの一面に提供されている。サポートプレートは第２図案層、接続部および可撓部を含んでいる。この第２図案層は、バックプレートの反対側のサポートプレートの一面に提供されている。この接続部は、装着部との接続のためにサポートプレートの一端に提供されている。可撓部はサポートプレートの別端に提供されている。保護収納ケースが第１状態にあるとき、サポートプレートは第１図案層を遮蔽し、第２図案層が現出され、第１表出図案を形成する。保護収容ケースが第２状態にあるとき、可撓部は外力によってバックプレートとは反対方向に曲げられ、第１図案層を現出させる。第１図案層とサポートプレートとは組み合わされて第２表出図案を形成する。
【００２５】
実施形態においては、保護収納ケースは、バックプレートに隣接するサポートプレートの別側に提供され、接続部と可撓部を通過する縦軸に沿って提供された隆起部を有する。従って、可撓部が押圧されると、隆起部はバックプレートに当接し、可撓部をバックプレートとは反対方向に曲げる。
【００２６】
実施形態においては、隆起部はサポートプレートの中央部に提供されている。
【００２７】
実施形態においては、隆起部とサポートプレートとは一体的に提供されている。
【００２８】
実施形態においては、サポートプレートは縦軸に沿って縦アーチ状に形成され、サポートプレートの別側の面は凹状である。
【００２９】
実施形態においては、サポートプレートは縦長状に形成され、接続部と可撓部はサポートプレートの長軸の２端にそれぞれ提供されている。
【００３０】
実施形態においては、第１図案層は、可撓部と装着部との間の接続部に対応する口部表出領域を有する。
【００３１】
実施形態においては、第１表出図案または第２表出図案は開口図案である。
【００３２】
実施形態においては、第１表出図案または第２表出図案は閉口図案である。
【００３３】
実施形態においては、サポートプレートは、バックプレートに隣接するサポートプレートの別側に提供されている第３図案層を有している。
【００３４】
実施形態においては、バックプレートは、ハンドヘルド電気装置の反対側に提供され、第１表出図案を形成するために第２図案層と組み合わされるサポートプレートに対応する第４図案層を有する。この第４図案層は、サポートプレートの２つの側にそれぞれ隣接して提供される２つの眼部領域を含んでいる。
【００３５】
実施形態においては、バックプレートは開口部とフィルムとを有する。この開口部はサポートプレートに対応して提供されている。第１図案層はフィルム上に提供されている。      
【００３６】
このフィルムはハンドヘルド電気装置に貼付されており、第１図案層は、開口部を介して第２状態にある第１図案層を現出するための開口部に対応する。
【００３７】
実施形態においては、保護収納ケースは、バックプレートの周辺から突出する側壁フレームを有しており、この側壁フレームとバックプレートは、ハンドヘルド電気装置を受領するための受領スペースを形成する。ハンドヘルド電気装置の側壁フレームと収納ケースは分離可能な状態で係合する。
【００３８】
実施形態においては、ハンドヘルド電気装置を保護するために、保護収納ケースはバックプレートと共にチャンバ(空洞室)を形成するためのフロントプレートを有する。
【００３９】
上述に鑑みて、本考案のハンドヘルド電気装置に利用できる保護収納ケースは、ハンドヘルド電気装置の保護機能およびサポート機能を提供するばかりではなく、保護収納ケースの裏側の平坦性を維持し、ハンドヘルド電気装置および保護収納ケースの全体的な美観を保ち、面上に置いたときにハンドヘルド電気装置の安定性を改善する。さらに、２つの利用状態においてサポートプレートを調節することによって、趣向を増進するように２つの異なる現出図案が提供できる。
【００４０】
本考案の詳細な特徴と利点は、以下の実施例を介して詳細に解説される。その詳細な説明の内容は、当技術分野の専門家にとっては本考案の技術内容の理解および本考案の活用に十分であろう。当技術分野の専門家であれば、本明細書、請求の範囲、および図面の内容に基づいて、本考案の目的および利点を容易に理解するであろう。
【実施例】
【００４１】
図２Ａは、第１状態にある本考案の第１実施例のハンドヘルド電気装置２００に利用できる保護収納ケース３００の概略斜視図（１）である。図２Ｂは、第１状態にある本考案の第１実施例のハンドヘルド電気装置２００に利用できる保護収納ケース３００の概略斜視図（２）である。図３は、第１状態にある本考案の第１実施例のハンドヘルド電気装置２００に利用できる保護収納ケース３００の分解図である
【００４２】
本考案の第１の実施例において、保護収納ケース３００は、本質的にはハンドヘルド電気装置２００の収納体２１０に組み合わされる保護収納ケースである。
【００４３】
図２Ａ、図２Ｂおよび図３で示すハンドヘルド電気装置２００で利用する本考案の保護収納ケース３００は、ハンドヘルド電気装置２００の一面に組み合わされる。この保護収納ケース３００はバックプレート３１０とサポートプレート３２０とを有する。バックプレート３１０はハンドヘルド電気装置２００の一面に組み合わされ、装着部３１１と第１図案層３１２とを有する。第１図案層３１２とサポートプレート３２０は、ハンドヘルド電気装置２００の反対側にあるバックプレート３１０の一面に提供されている。サポートプレート３２０は第２図案層３２１、接続部３２２、および可撓部３２３を有する。第２図案層３２１は、バックプレート３１０の反対側のサポートプレート３２０の一面に提供される。接続部３２２は、装着部３１１と接続するようにサポートプレート３２０の一端に提供される。可撓部３２３はサポートプレート３２０の別端に提供される。これに基づき、接続部３２２はハンドヘルド電気装置２００の下端の近くに提供され、可撓部３２３はハンドヘルド電気装置２００の上端の近くに提供される。
【００４４】
図３で示すように、実施態様によっては、接続部３２２は、サポートプレート３２０から延伸し、装着部３１１と確実に接続するように装着部３１１に対応する接続機構を有する。実施態様によっては、装着部３１１は、係合、留め金、接着、熱溶着、等々の手段で接続部３２２に確実に接続できる。
【００４５】
図４Ａは、第２状態にある本考案の第１実施例のハンドヘルド電気装置２００に利用できる保護収納ケース３００の概略斜視図である。
【００４６】
図２Ｂと図４Ａで示す保護収納ケース３００が第１状態にあるとき、サポートプレート３２０は第１図案層３１２を遮蔽し、第２図案層３２１は第１表出図案を形成するよう現出される。保護収納ケース３００が第２状態にあるとき、可撓部３２３は外力によってバックプレート３２０の反対方向に曲げられ、第１図案層３１２を現出する。第１図案層３１２とサポートプレート３２０とは組み合わされ、第２表出図案を形成する。すなわち、保護収納ケース３００は２つの作動状態を有しており、第１状態では、サポートプレート３２０は平坦化され（図２Ｂ）と、第２状態では、サポートプレート３２０は保護収納ケース３００から曲げ延び出され、湾曲状態となる（図４Ａ）。第１表出図案と第２表出図案は本質的には人間の顔の表情であり、あるいは擬人化された動物または植物である。これに基づき、保護収納ケース３００は、第１表出図案と第２表出図案とを、サポートプレート３２０を調節して選択的に提供することで異なる視覚的効果および満足感を提供する。
【００４７】
これに基づき、図３で示すように、サポートプレート３２０の表面積は第１図案層３１２の別表面積よりも大きく、サポートプレート３２０は第１状態にある第１図案層３１２を遮蔽し、第２図案層３２１を現出させる。サポートプレート３２０は２つのロール積層工程で製造される。一方のロール積層工程で、ローラが、接続部３２２と可撓部３２３を通過する縦軸Ｙに沿って、バックプレート３１０の反対側のサポートプレート３２０の一面に適用され、もう一方のロール積層工程で、ローラが、縦軸Ｙに垂直である横軸Ｘに沿ってバックプレート３１０に隣接するサポートプレート３２０の一面に適用される。従って、サポートプレート３２０は縦軸Ｙに沿って縦アーチ状に形成され、サポートプレート３２０の別面は凹状である。
【００４８】
実施態様によっては、サポートプレート３２０は長形に成型でき、接続部３２２と可撓部３２３はサポートプレート３２０の長軸（縦軸Ｙ）の２端にそれぞれ提供される。
【００４９】
実施態様によっては、サポートプレート３２０の別端の縁部は円形アーチ状でよい。しかし、本考案の実施態様は、これに限定されず、サポートプレート３２０の別端の縁部は枝状の蛇舌形状でもよい。
【００５０】
実施態様によっては、第１図案層３１２は、可撓部３２３と装着部３１１との間の接続に対応する口部表出領域３１２１を有する。従って、サポートプレート３２０は第２表出図案において舌部として作用し、口部表出領域３１２１と協調する。すなわち第２表出図案は舌部が突出した図案であり、口部表出領域３１２１を変更することによって第２表出図案は開口図案（図４Ａ）または閉口図案（図４Ｂ）となることができる。図４Ｂは、保護収納ケース３００が第２状態にある本考案の第１実施例のハンドヘルド電気装置２００に利用できる保護収納ケース３００の斜視図である。
【００５１】
図４Ａで示すように、口部表出領域３１２１は歯部領域３１２２および口腔領域３１２３を有することができる。歯部領域３１２２は口腔領域３１２３の上部に提供されており、サポートプレート３２０は歯部領域３１２２の反対側で、口腔領域３１２３の下部に提供されており、口が開いており、舌が飛び出ている図案が提供されている。
【００５２】
図４Ｂで示すように、口部表出領域３１２１は唇部領域３１２５（または歯部領域３１２２）を有するが口腔領域３１２３は有さない。これに基づき、唇部領域３１２５（または歯部領域３１２２）は可撓部３２３と装着部３１１との間の接続部に密着して取り付けられており、口が閉じて舌が飛び出している図案を形成している。
【００５３】
実施態様によっては、第１図案層３１２は鼻図案を現すように鼻部領域３１２４をさらに含む。
【００５４】
第２表出図案と同様に、第１表出図案も開口図案（非図示）または閉口図案（図２Ｂ）でよく、限定はしないが、歯部領域３１２２、口腔領域３１２３、鼻部領域３１２４及び／又は唇部領域３１２５を有することができる。
【００５５】
実施態様によっては、図４Ｂで示すように、サポートプレート３２０はさらにバックプレート３１０に隣接する別面に提供された第３図案層３２４を有する。これに基づき、保護収納ケース３００が第２状態にあるとき、サポートプレート３２０は曲げられて第３図案層３２４を現出させ、第１図案層３１２、第３図案層３２４およびサポートプレート３２０は組み合わされて第２表出図案を形成する。これに基づき、第３図案層３２４は丸点図案、星図案、帯図案、等々で模様化できる。しかし、本考案の実施態様はこれらに限定されず、第３図案層３２４はサポートプレート３２０をカバーすることでも提供でき、第１図案層３１２はサポートプレート３２０のものとは異なる色を表示することができる。
【００５６】
実施態様によっては、図２Ｂで示すように、バックプレート３１０はさらに、ハンドヘルド電気装置２００の反対側に、サポートプレート３２０に対応して第４図案層３１３を有し、第２図案層３２１と組み合わされて第１表出図案を形成する。
【００５７】
実施態様によっては、第４図案層３１３は、サポートプレート３２０の２つの側にそれぞれ隣接して提供されている２つの眼部領域３１３１を有する。すなわち、２つの眼部領域３１３１はサポートプレート３２０の長軸（縦軸Ｙ）の両側で可撓部３２３の近くにそれぞれ提供される。
【００５８】
実施態様によっては、図４Ａと図４Ｂで示すように、保護収納ケース３００は隆起部３３０をさらに有する。隆起部３３０は、バックプレート３１０に隣接したサポートプレート３２０の別面に、接続部３２２と可撓部３２３とを通る縦軸Ｙに沿って提供されており、可撓部３２３が押圧されると、隆起部３３０がバックプレート３１０に当接し、可撓部３２３をバックプレート３１０の反対方向に曲げる（よって、可撓部３２３は保護収納ケース３００に向かって曲げられる）。
【００５９】
実施態様によっては、隆起部３３０はサポートプレート３２０の中央部に提供される。従って、可撓部３２３に近いサポートプレート３２０の別端が押圧されると、サポートプレート３２０の別端はバックプレート３１０側に少々移動し、隆起部３３０はバックプレート３１０に当接する。
【００６０】
実施態様によっては、隆起部３３０とサポートプレート３２０は一体的に提供され、プラスチックの射出成型技術によって製造される。
【００６１】
実施態様によっては、図２Ｂと図３で示すように、バックプレート３１０はサポートプレート３２０に対応する凹所３１４をさらに有しており、サポートプレート３２０は第１状態で凹所３１４を充填する。これに基づき、保護収納ケース３００は典型的には第１状態にあり、保護収納ケース３００と組み合わされたハンドヘルド電気装置を安定的に設置させる平坦裏面を有する。
【００６２】
実施態様によっては、図３で示すように、保護収納ケース３００は、バックプレート３１０の周辺に側壁フレーム３４０を有しており、側壁フレーム３４０とバックプレート３１０はハンドヘルド電気装置２００を受領する受領スペースを形成する。側壁フレーム３４０と収納体２１０は互いに分離可能に係合し、バックプレート３１０はハンドヘルド電気装置２００の収納体２１０に密着して取り付けられる。
【００６３】
図５は、保護収納ケース３００が第２状態にある本考案の第２実施例のハンドヘルド電気装置２００に利用できる保護収納ケース３００の分解図である。  図５で示すように、第２実施例の保護収納ケース３００は、バックプレート３１０が第２実施例の開口部３１５とフィルム３１６を有することを除いて第１実施例のものとほぼ同じである。
【００６４】
開口部３１５はサポートプレート３２０に対応して提供されている。第１図案層３１２はフィルム３１６上に提供されている。フィルム３１６はハンドヘルド電気装置２００に貼付され、第１図案層３１２は、開口部３１５を介して第２状態の第１図案層３１２を現出させるために開口部３１５に対応する。これに基づき、フィルム３１６の形状とサイズはバックプレート３１０のものにほぼ等しい。さらに、フィルム３１６は一面に第１図案層３１２を有しており、別面に接着層を有しているため、フィルム３１６は保護ステッカとも呼ばれる。
【００６５】
実施態様によっては、フィルム３１６のサイズと形状は、ハンドヘルド電気装置２００の斜視図の外側形状にほぼ対応する。すなわち、フィルム３１６はハンドヘルド電気装置２００の６展開面に対応する。フィルム３１６は一面に第１図案層３１２を有し、別面に接着層を有する。すなわち、フィルム３１６は本質的には、ハンドヘルド電気装置２００の収納体２１０をカバーする保護フィルムである。
【００６６】
実施態様によっては、開口部３１５の周囲は凹所３１４（またはサポートプレート３２０）に対応する。
【００６７】
図６は、保護収納ケース３００’が第２状態にある本考案の第３実施例のハンドヘルド電気装置２００に利用できる保護収納ケース３００’の分解図である。
【００６８】
図６で示すように、第３実施例の保護収納ケース３００’は第１実施例または第２実施例のものと同じであるが、保護収納ケース３００’は第３実施例においてはハンドヘルド電気装置２００の収納体２１０と同じである。保護収納ケース３００’はさらに、バックプレート３１０と共にチャンバを形成し、ハンドヘルド電気装置２００の回路部材２２０を保護するフロントプレート３５０を有する。これに基づき、フロンプレート３５０とバックプレート３１０の両方は互いに対応するバックル構造を有し、フロントプレート３５０はバックプレート３１０と組み合わされて保護収納ケース３００’を形成する。
【００６９】
図７は、保護収納ケース３００’が第２状態にある本考案の第３実施例のハンドヘルド電気装置２００に利用できる保護収納ケース３００’の別分解図である。
【００７０】
実施態様によっては、図７で示すように、保護収納ケース３００’は、フロントプレート３５０、バックプレート３１０および側壁フレーム３４０を有し、ハンドヘルド電気装置２００の回路部材２２０を保護するチャンバを形成する。これに基づき、側壁フレーム３４０はフロントプレート３５０とバックプレート３１０にそれぞれ対応するバックル構造を有し、フロントプレート３５０、側壁フレーム３４０およびバックプレート３１０は互いに組み合わされて保護収納ケース３００’を形成する。
【００７１】
ここで、図２Ａから図７で示すハンドヘルド電気装置２００は単なる例示であり、ハンドヘルド電気装置２００は部分的に湾曲した面、アーチ面、等々を有することもできる。あるいは、他の実施態様では、保護収納ケース３００および３００’の外側形状は、ハンドヘルド電気装置２００の外側形状に従って調節することもできる。
【００７２】
以上、本考案によるハンドヘルド電気装置２００に利用できる保護収納ケース３００および３００’は、ハンドヘルド電気装置２００の保護機能だけではなく、保護収納ケース３００および３００’の裏面の平坦性を保持し、ハンドヘルド電気装置２００および保護収納ケース３００および３００’の全体的な美的満足度を提供し、面上に置かれたハンドヘルド電気装置２００の安定性を高める。さらに、２つの操作状態においてサポートプレート３２０を調節することで、外観の満足度を向上させるように２つの異なる表出図案を取得することができる。
【符号の説明】
【００７３】
２００  ハンドヘルド電気装置
２１０  収納体
２２０  回路部材
３００  保護収納ケース
３００’  保護収納ケース
３１０  バックプレート
３１１  装着部
３１２  第１図案層
３１２１  口部表出領域
３１２２  歯部領域
３１２３  口腔領域
３１２４  鼻部領域
３１２５  唇部領域
３１３  第４図案層
３１３１  眼部領域
３１４  凹所
３１５  開口部
３１６  フィルム
３２０  サポートプレート
３２１  第２図案層
３２２  接続部
３２３  可撓部
３２４  第３図案層
３３０  隆起部
３４０  側壁フレーム
３５０  フロントプレート
【図１】
0003185793.tif 000003
【図２Ａ】
0003185793.tif 000004
【図２Ｂ】
0003185793.tif 000005
【図３】
0003185793.tif 000006
【図４Ａ】
0003185793.tif 000007
【図４Ｂ】
0003185793.tif 000008
【図５】
0003185793.tif 000009
【図６】
0003185793.tif 000010
【図７】
0003185793.tif 000011